(57)【要約】【課題】  並べ易く、しかも収容スペースの増大を抑えられる収納ファイルの提供。【解決手段】  被収納物を収納する収納シートと、互いに収納シートを介する幅方向で対向する一方側および他方側のカバー体からなるカバーとを備え、一方側および他方側のカバー体の端部のそれぞれに、幅方向に延びて幅方向に直交する方向で重ね合わされる重ね部が設けられ、一方側の重ね部と他方側の重ね部とを重ね合わせた状態で他方側の重ね部のみに重ね合せ方向で巻回される索体が、一方側の重ね部に取付けられている構成の収納ファイル。【選択図】  図１
2010264727.tif 000002
【特許請求の範囲】
【請求項１】
被収納物を収納する収納シートと、互いに収納シートを介する幅方向で対向する一方側および他方側のカバー体からなるカバーとを備え、
一方側および他方側のカバー体の端部のそれぞれに、幅方向に延びて幅方向に直交する方向で重ね合わされる重ね部が設けられ、
一方側の重ね部と他方側の重ね部とを重ね合わせた状態で他方側の重ね部のみに重ね合せ方向で巻回される索体が、一方側の重ね部に取付けられていることを特徴とする収納ファイル。
【請求項２】
一方側および他方側のカバー体、一方側および他方側の重ね部は同一形状の矩形に形成され、且つ一方側および他方側のカバー体の離間幅は、該カバー体の辺長に比べて短く設定され、索体は重ね部の長手方向で重ね合わせ方向に巻回されるよう構成されていることを特徴とする請求項１記載の収納ファイル。
【請求項３】
他方側の重ね部の短辺の幅方向途中に、索体を係止する切欠が形成されていることを特徴とする請求項２記載の収納ファイル。
【請求項４】
索体は伸縮性に富んだ弾性材料から構成されていることを特徴とする請求項１ないし請求項３の何れかに記載の収納ファイル。
【請求項５】
カバー体は、可撓性を有することを特徴とする請求項１ないし請求項４の何れかに記載の収納ファイル。
【発明の詳細な説明】
【技術分野】
【０００１】
本発明は、ＣＤやＤＶＤなどのディスク類や書類などを収納するための収納ファイルに関する。
【背景技術】
【０００２】
ディスク類や書類などを収納するための収納ファイルとして、下記特許文献１に示す技術が提案されている。これは、ディスク類などを収納する収納シートと、収納シートが取付けられるとともに収納シートを覆う表・裏のカバー（表・裏表紙）と、表・裏のカバーを閉じるためのゴムバンドとから構成されている。
このゴムバンドは表・裏のカバーの一方の表面側に取付けられ、表・裏のカバーの他方にゴムバンド係止用の切欠が形成されている。
上記構成において、収納シートにディスク類などを収納してこれを表・裏のカバーで覆うには、ゴムバンドをその弾性に抗して延ばして切欠に係止させる。
【先行技術文献】
【特許文献】
【０００３】
【特許文献１】特開２０００−６２８７７号公報
【発明の概要】
【発明が解決しようとする課題】
【０００４】
上記従来の収納ファイルにおいて、ゴムバンドを切欠に係止させると、ゴムバンドが表・裏のカバーの表面から側部を巻回するよう露出する。このため、収納ファイルを重ね置きしたり、横方向に並べたりしたりするときに、ゴムバンドが邪魔になって並べにくく、また収納ファイルどうしに隙間が生じてしまい、その分だけ収容に広いスペースを必要とするという課題がある。
【０００５】
そこで本発明は、上記課題に鑑み、並べ易く、しかも収容スペースの増大を抑えられる収納ファイルの提供を目的とする。
【課題を解決するための手段】
【０００６】
本発明の収納ファイルは、被収納物を収納する収納シートと、互いに収納シートを介する幅方向で対向する一方側および他方側のカバー体からなるカバーとを備え、一方側および他方側のカバー体の端部のそれぞれに、幅方向に延びて幅方向に直交する方向で重ね合わされる重ね部が設けられ、一方側の重ね部と他方側の重ね部とを重ね合わせた状態で他方側の重ね部のみに重ね合せ方向で巻回される索体が、一方側の重ね部に取付けられていることを特徴としている。
【０００７】
上記構成において、索体を他方側の重ね部のみに重ね合せ方向で巻回することで、索体は一方側および他方側のカバー体に巻回されることはないから、収納ファイルを重ね置きしたり、横方向に並べたりしたりするときに、索体が邪魔にならず、収納ファイルどうしに隙間を生じることなく重ね置きしたり、横方向に並べたりしたりすることが可能である。
【０００８】
本発明の収納ファイルは、一方側および他方側のカバー体、一方側および他方側の重ね部は同一形状の矩形に形成され、且つ一方側および他方側のカバー体の離間幅は、該カバー体の辺長に比べて短く設定され、索体は重ね部の長手方向で重ね合わせ方向に巻回されるよう構成されていることを特徴としている。
【０００９】
上記構成において、索体を重ね部の長手方向で重ね合わせ方向に巻回することで、重ね部どうしを重ねた状態が確実に保持される。
【００１０】
本発明の収納ファイルでは、他方側の重ね部の短辺の幅方向途中に、索体を係止する切欠が形成されていることを特徴としている。
切欠に索体を係止することで、重ね部どうしを重ねた状態が確実に保持される。
【００１１】
本発明の収納ファイルでは、索体は伸縮性に富んだ弾性材料から構成されていることを特徴としている。
この構成によれば、索体を伸長させることで、索体を他方側の重ね部に容易に巻回させられる。
【００１２】
本発明の収納ファイルでは、カバー体は、可撓性を有することを特徴としている。
この構成によれば、各カバー体は可撓性を有しているから、収納ファイル内の容量が大きくなると、各カバー体が膨れるように撓むから、これによって各カバー体が該容量に応じた形状となる。
【発明の効果】
【００１３】
本発明の収納ファイルは、一方側および他方側のカバー体の端部のそれぞれに、幅方向に延びて幅方向に直交する方向で重ね合わされる重ね部を設け、一方側の重ね部と他方側の重ね部とを重ね合わせた状態で他方側の重ね部のみに重ね合せ方向で巻回される索体を、一方側の重ね部に取付けているから、索体を他方側の重ね部のみに重ね合せ方向で巻回することで、索体は一方側および他方側のカバー体に巻回されることはなく、したがって、収納ファイルを重ね置きしたり、横方向に並べたりしたりするときに索体が邪魔にならず、収納ファイルどうしに隙間を生じることなく重ね置きしたり、横方向に並べたりしたりすることができ、索体がカバー体に巻回されないから、その分だけ幅を小さくできるから、収納ファイルの収容スペースの増大を抑えることができる。
【図面の簡単な説明】
【００１４】
【図１】本発明の実施形態を示す収納ファイルの使用状態を示す後方からの斜視図
【図２】同じく使用状態を示す前方からの斜視図
【図３】同じく収納ファイルを展開した状態の斜視図
【図４】同じく平面図
【図５】同じく底面図
【図６】同じく収納シートの側面図
【図７】他の実施形態を示す収納ファイルの使用状態を示す後方からの斜視図
【発明を実施するための形態】
【００１５】
以下、本発明の実施形態に係る収納ファイルを図面に基づいて説明する。図１は本発明の実施形態を示す収納ファイルの使用状態を示す後方からの斜視図、図２は前方からの斜視図、図３は展開した状態の斜視図、図４は展開した状態の平面図、図５は展開した状態の底面図、図６はカバー体によって挟まれる収納シートの側面図である。
【００１６】
これらの図に示すように、収納ファイル１は、ＣＤ（コンパクトディスク）や説明書Ｂなどの被収納物を収納する複数の収納シート２（図６参照）と、互いに収納シート２を介する幅方向で対向する一方側および他方側のカバー体３，４からなるカバー５とを備えている。
収納シート２およびカバー体３，４は何れも合成樹脂から形成されている。収納シート２は軟質の合成樹脂から形成され、カバー体３，４は可撓性を有する硬質の合成樹脂から形成されている。特にカバー体３，４は左右幅方向Ａ１に湾曲可能に形成されている。
【００１７】
両カバー体３，４は側面視して矩形（縦長の長方形）に形成され、しかも同一面積に形成されている。両カバー体３，４は、前側の一辺どうしが左右幅方向Ａ１に亘る背カバー部６によって一体化されている。
背カバー部６は、カバー体３，４と同一の高さに設定され、背カバー部６の左右幅方向Ａ１は、カバー体３，４の前後方向長さに比べて短く設定されている。カバー体３，４は、背カバー部６との連続部分ｐ１，ｐ２を支点として回動（開閉）自在に設けられている。
各カバー体３，４の後側の一辺に、左右幅方向Ａ１に延びて左右幅方向Ａ１に直交する前後方向Ａ２で重ね合わされる重ね部７，８がそれぞれ一体的に形成されている。また、各重ね部７，８は、各カバー体３，４との連続部分ｐ３，ｐ４を支点として、回動自在に設けられている。
重ね部７，８どうしは、略同一形状の矩形に形成されている。この実施形態では、一方側（左側）の重ね部７が前側にあり、他方側（右側）の重ね部８が一方側の重ね部７の後側に重ねられる。
【００１８】
一方側の重ね部７と他方側の重ね部８とを前後方向Ａ２で重ね合わせた状態で、他方側の重ね部８にのみ、重ね合せ方向で巻回される索体１０が、一方側の重ね部７に取付けられている。換言すれば、一方側の重ね部７に取付手段を介して索体１０が取付けられている。
索体１０として、伸縮性に富んだ弾性材料から構成された索状ゴム体が用いられている。
【００１９】
索体１０は一方側の重ね部７の左右幅方向Ａ１の中心に配置されている。索体１０の上端部１０ａは、一方側の重ね部７の上端面７ａからわずかに下方に位置ずれした部位に配置されている。索体１０の上端部１０ａは、一方側の重ね部７に形成した挿通孔に挿通され、その裏側で結紐されることで取付けられている。あるいは結紐によらず、止具を用いて挿通孔から抜けないようにすることも可能である。
索体１０の下端部１０ｂは、一方側の重ね部７の下端面７ｂからわずかに上方に位置ずれした部位に配置されている。索体１０の下端部１０ｂは、一方側の重ね部７に形成した挿通孔に挿通され、その裏側で結紐されることで取付けられている。したがってこの場合、前記取付手段は挿通孔と、結紐部分とによって構成されている。
【００２０】
他方側の重ね部８には、索体１０の端部側の途中部分を係止するための、上下方向に沿う切欠１１，１２が形成されている。この切欠１１，１２は、索体１０の配置位置に対応するよう、他方の重ね部８の左右幅方向Ａ１の中心に配置されている。
すなわち、切欠１１，１２は、他方側の重ね部８の上端面８ａと下端面８ｂのそれぞれに形成されている。切欠１１，１２の左右方向幅は索体１０の径にほぼ等しく設定されている。また、他方側の重ね部８の上端面８ａと下端面８ｂには、索体１０を切欠１１，１２内に導入し易くするための傾斜案内部１３，１４が切欠１１，１２に連続して形成されている。
切欠１１の下端部位置は、索体１０の上端部１０ａの位置にほぼ一致し、切欠１２の上端部位置は、索体１０の下端部１０ｂの位置にほぼ一致している。
【００２１】
図６に示すように、収納シート２はその片面側に、ＣＤを収納するための第一収納部１５と、これに付属する説明書Ｂ等を収納するための第二収納部１６とが形成されている。
収納シート２は、後部端辺部２ａが背カバー部６の裏面に固定された不図示の基台に熱溶着されるようにして設けられる。このような収納シート２は基台に複数枚設けられている。あるいはこのような収納シート２は、バインダー形式（綴込み形式）として、基台に追加できるタイプであってもよい。
【００２２】
なお、図４において、符号２０は背カバー部６の表面側に設けたファイル用名札装着部、２１，２２はカバー体３，４と背カバー部６とに亘るように形成した把持用切欠である。
【００２３】
上記構成における収納ファイル１の使用方法を説明する。
収納ファイル１は展開状態においては偏平な一枚ものの状態である。そして収納ファイル１は合成樹脂で形成されているから、使用に際しては、連続部分ｐ１，ｐ２、連続部分ｐ３，ｐ４で折曲げておくことで、直方体形状あるいはそれに近い形状を維持することができる。
【００２４】
まず、収納シート２の第一収納部１５にＣＤを収納したり、第二収納部１６に説明書Ｂを収納したりするには、カバー体３，４どうしを開いて収納シート２を露出させ、第一収納部１５、第二収納部１６に差し込むようにする。
【００２５】
その後、各カバー体３，４を連続部分ｐ１，ｐ２を中心に後方へ折曲げることでカバー体３，４どうしを近づけるようにして閉じ、重ね部７，８を連続部分ｐ３，ｐ４を中心に折曲げる。このとき、一方側の重ね部７を前側に位置させ、他方側の重ね部８を重ね部７の後側に重ねるようにするとともに、索体１０を伸長させて、他方側の重ね部８に巻き掛ける。
【００２６】
この場合、索体１０は索状ゴム体であるから使用者は、その手指で容易にこれを伸長させることができ、索体１０の上端部１０ａ側を切欠１１に対して傾斜案内部１３から導入するようにし、索体１０の下端部１０ｂ側を切欠１２に対して傾斜案内部１４から導入するようにすることで、索体１０を容易に切欠１１，１２に係止することができる。
このようにして、一方側の重ね部７に上下端部が固定された索体１０を重ね部７，８の上下長手方向で且つ重ね合せ方向（前後方向Ａ２）で巻回させることで、他方側の重ね部８が一方側の重ね部７から離れるのを抑制することができる。
【００２７】
また、複数の収納シート２にＣＤや説明書Ｂを収納すると、収納ファイル１内の左右幅方向Ａ１の容量が大きくなる。しかしながら、各カバー体３，４は可撓性を有しているから、収納ファイル１内の左右幅方向Ａ１の容量が大きくなると、各カバー体３，４が左右幅方向Ａ１に膨れるように撓むから、これによって各カバー体３，４が該容量に応じた形状となる。
【００２８】
収納ファイル１内の左右幅方向Ａ１の容量が大きくなり、各カバー体３，４が左右幅方向Ａ１に膨れるように撓むと、各カバー体３，４から、一方側の重ね部７と他方側の重ね部８とが互いに左右幅方向Ａ１に離間する力が働く。
しかしながら、重ね部７，８どうしは、伸長可能な索体１０を重ね部８に上下長手方向で且つ重ね合せ方向で巻回していることにより連結されているから、重ね部７，８どうしは左右幅方向Ａ１に離間するよう、ある程度だけ互いに移動して、しかも離脱しないよう保持される。
【００２９】
このような収納ファイル１では、索体１０は収納ファイル１の背面側にのみ露出している。このため、仮に収納ファイル１どうしを積重ねても、下の収納ファイル１のカバー体３，４に上の収納ファイル１のカバー体３，４が直接接触するようにできるから積重ね易く、しかも積重ねた状態での安定性を確保できる。
また、背カバー部６を手前にしてキャビネット等に横並べするように収容する場合にも、索体１０は背面側にのみ露出しているから、隣合う収納ファイル１どうしのカバー体３，４の側面どうしが直接接触することになる。このため、キャビネット等に収納ファイル１を順次収容する場合にも索体１０が邪魔にならず、円滑に収容することができる。
さらに、索体１０が側面にない分だけ、積重ね、横並べ収容において省スペース化を図ることができる。
【００３０】
この収納ファイル１は、使用状態において中空の箱状の形態となる。そして、カバー５（カバー体３，４）は可撓性を有する一方で、硬質の合成樹脂から形成していることからある程度の強度を有する。このため、側面方向から衝撃が加わっても潰れにくく、したがって、側面方向からの衝撃に対して収納物を保護することが可能となる。
【００３１】
ＣＤを取出す際や、新たに収納する際には、カバー体３，４を再び展開方向に開く。この場合、索体１０を手指で把持し伸長させて、切欠１１，１２から離脱させる。これによって重ね部７，８どうしは離間できるので、カバー体３，４どうしもまた展開方向に開くことができる。
【００３２】
本発明は上記実施形態に限定されず、本発明の主旨を逸脱しない範囲で種々変形が可能である。
上記実施形態では、索体１０は、収納ファイル１のほぼ高さ方向全部に亘って重ね部８に巻回した。しかしながら、例えば一方側の重ね部７および（または）他方側の重ね部８の高さを上記実施形態に比べて小さく設定してもよい。この場合の具体例を図７に示している。
【００３３】
図７に示す実施形態では、他方側の重ね部８を高さ方向中心側へ向けて縮小した構成である。換言すれば、他方側の重ね部８の上端面８ａ、下端面８ｂの位置を、それぞれ一方側の重ね部７の上端面７ａ、下端面７ｂに対して下方、上方に位置ずれさせている。
また、他方側の重ね部８の上端面８ａおよび下端面８ｂには、傾斜案内部１３，１４および切欠１１，１２が、左右幅方向Ａ１の中心に配置されている。したがって、索体１０の上下方向長さもまた、重ね部８の高さに対応して短くし、索体１０の上端部１０ａ、下端部１０ｂの位置もまた切欠１１，１２の位置に対応させてそれぞれ上下方向に位置ずれさせた構成とする。
【００３４】
他の構成は図１ないし図６で示した実施形態と同様であるので、同一の符号を付してその説明を省略する。
図７の構成によれば、他方側の重ね部８を小さくし、索体１０を短くした分だけ材料コストの低減ができる。また、他方側の重ね部８を小さくした分だけ索体１０を他方側の重ね部８に巻き掛ける手間が少なくなる。
【００３５】
その他、各部の具体的構成についても上記実施形態に限られるものではない。
例えば、図示しないが、カバー体の形状は矩形に限定されるものではなく、例えば、コンパクトディスクの形状に合致するよう、側面視して円形に形成してもよい。
この場合、重ね部はカバー体の形状に対応するよう側面視して円弧状に形成するようにし、カバー体の径方向内外方向で重ねるように設けることができる。索体は重ね部の重ね合わせ方向で、他方側（径方向外方側）の重ね部に巻き掛けるようにすることができる。
【符号の説明】
【００３６】
１…収納ファイル、２…収納シート、３，４…カバー体、５…カバー、６…背カバー部、７，８…重ね部、１０…索体、１０ａ…上端部、１０ｂ…下端部、１１，１２…切欠、ｐ１，ｐ２…連続部分、ｐ３，ｐ４…連続部分
【図１】
2010264727.tif 000003
【図２】
2010264727.tif 000004
【図３】
2010264727.tif 000005
【図４】
2010264727.tif 000006
【図５】
2010264727.tif 000007
【図６】
2010264727.tif 000008
【図７】
2010264727.tif 000009